(57)【要約】【課題】製造コストを削減するとともに在庫管理を容易とすることができ、回路基板の設計に自由度を持たせることができる電気コネクタを提供する。【解決手段】後側端面１０Ｂを回路基板２０に対向させてハウジング１０を回路基板２０に設置するときには、面１０Ｃ側から張り出す基板接続部１１Ｄ（第１の基板接続部）と、面１０Ｄ側から張り出す基板接続部１１Ｅ（第２の基板接続部）とにより、電気コネクタ１Ａが回路基板２０に接続される。一方、面１０Ｃを回路基板２０に対向させてハウジング１０を回路基板２０に実装するときには、コンタクト１１において後側端面１０Ｂ側に設けられた基板接続部１１Ｆ（第３の基板接続部）と、一対の固定金具１２各々において前側端面１０Ａ側に設けられた基板接続部１２Ｃａとにより、電気コネクタ１Ａが回路基板２０に接続される。【選択図】図９
2017027827.tif 000002
【特許請求の範囲】
【請求項１】
絶縁性材料で形成され、配線板状部材の差し込み口が設けられた第１の面と、前記第１の面と逆向きの第２の面と、前記第１、第２の面に直交し、前記差し込み口の長手方向に延びる第３の面と、を有するハウジングと、
前記差し込み口に差し込まれた配線板状部材に形成された複数の電極部と接続する位置にそれぞれ形成された複数の接続端子と、
前記差し込み口の長手方向に関する前記ハウジングの両端に設置され前記ハウジングを回路基板に固定する一対の固定金具と、
を備え、
前記複数の接続端子各々は、
前記第２の面を前記回路基板に対向させて前記ハウジングを前記回路基板に設置するときに前記第２の面の前記第３の面側から張り出して前記回路基板と当接する第１の基板接続部と、
前記第２の面を前記回路基板に対向させて前記ハウジングを前記回路基板に設置するときに前記第２の面の前記第３の面の逆側から張り出して前記回路基板と当接する第２の基板接続部と、
前記第３の面を前記回路基板に対向させて前記ハウジングを前記回路基板に設置するときに前記第３の面の前記第２の面側から張り出して前記回路基板と当接する第３の基板接続部と、
を有し、
前記一対の固定金具各々は、
前記第３の面を前記回路基板に対向させて前記ハウジングを前記回路基板に設置するときに前記第３の面の前記第１の面側から張り出して前記回路基板と当接する第４の基板接続部を有する、
電気コネクタ。
【請求項２】
前記一対の固定金具各々は、
前記第３の面を前記回路基板に対向させて前記ハウジングを前記回路基板に設置するときに前記第３の面の前記第２の面側から張り出して前記回路基板と当接する第５の基板接続部を有する、
請求項１に記載の電気コネクタ。
【請求項３】
前記ハウジングは、前記第３の面と逆向きの第４の面を有し、
前記一対の固定金具各々は、
前記差し込み口が前記回路基板から離れる方向を向いて前記ハウジングを傾斜させて前記回路基板に設置するときに前記第４の面の前記第１の面側から張り出して前記回路基板と当接する第６の基板接続部と、
前記差し込み口が前記回路基板から離れる方向を向いて前記ハウジングを傾斜させて前記回路基板に設置するときに前記第４の面の前記第２の面側から張り出して前記回路基板と当接する第７の基板接続部と、
を有し、
前記複数の接続端子各々は、
前記第６の基板接続部を前記回路基板に当接させて前記ハウジングを前記回路基板に設置するときに前記第４の面の前記第２の面側から張り出して前記回路基板と当接する第８の基板接続部を有する、
請求項２に記載の電気コネクタ。
【請求項４】
前記ハウジングに対する前記一対の固定金具の取り付け位置を、
前記第４、第５の基板接続部が前記第３の面から張り出し、前記第６、第７の基板接続部が前記第４の面から張り出さない第１の位置と、
前記第６、第７の基板接続部が前記第４の面から張り出し、前記第４、第５の基板接続部が前記第３の面から張り出さない第２の位置と、
のいずれかに設定可能である、
請求項３に記載の電気コネクタ。
【請求項５】
前記複数の接続端子各々は、
前記差し込み口に差し込まれた配線板状部材を挟んで延びる２つのビームを有し、
前記各ビームに、前記配線板状部材の複数の接続端子各々と当接する接点が設けられている、
請求項１から４のいずれか一項に記載の電気コネクタ。
【発明の詳細な説明】
【技術分野】
【０００１】
本発明は、電気コネクタに関する。
【背景技術】
【０００２】
近年、携帯電話又はパーソナルコンピュータの小型化及び薄型化が進んでおり、その中の部品についても小型化、薄型化が求められている。携帯電話等に組み込まれる回路基板にＦＰＣ（Flexible Printed Circuits）を接続する電気コネクタも、その１つである。
【０００３】
電気コネクタには、ＦＰＣ等の差し込み口が回路基板の逆側を向くように回路基板に実装されるいわゆる縦置きのものと、差し込み口が回路基板の実装面に水平な方向を向くように回路基板に実装されるいわゆる横置きのものとがある（例えば、特許文献１、２参照）。さらに、差し込み口が基板から見て斜め上に離れる方向を向いて回路基板に実装されるいわゆる傾斜型の電気コネクタも開示されている（例えば、特許文献３参照）。また、差し込み口の向きを変えることができる電気コネクタも開示されている（例えば、特許文献４参照）。
【先行技術文献】
【特許文献】
【０００４】
【特許文献１】特開２００１−３０７８３１号公報
【特許文献２】特開２００８−２４３９５６号公報
【特許文献３】特開２００９−０５９４８１号公報
【特許文献４】特開２００４−１４６１３４号公報
【発明の概要】
【発明が解決しようとする課題】
【０００５】
電気コネクタには、ＦＰＣの電極と回路基板の電気回路とを電気的に接続する接続端子やハウジングを回路基板に固定するための固定金具等、複数の部品が設けられている。このような部品の形状は、電気コネクタの実装の向きに応じて異なったものとなるのが一般的である。したがって、実装の向きがそれぞれ異なる電気コネクタを製造するためには、その種類毎に、部品を別々に設計し、別々の製造装置で製造し、在庫を管理する必要がある。また、上記特許文献４に開示された電気コネクタは、可動部分を有するため、部品点数が多くなる。
【０００６】
また、電気コネクタの実装の向きが固定されている場合には、回路基板上の電気コネクタが実装される位置又は向きが限定的となり、そのことが回路基板の設計に制約を与えるおそれがある。
【０００７】
本発明は、製造コストを削減するとともに在庫管理を容易とすることができ、回路基板の設計に自由度を持たせることができる電気コネクタを提供することを目的とする。
【課題を解決するための手段】
【０００８】
上記目的を達成するため、本発明の電気コネクタは、
絶縁性材料で形成され、配線板状部材の差し込み口が設けられた第１の面と、前記第１の面と逆向きの第２の面と、前記第１、第２の面に直交し、前記差し込み口の長手方向に延びる第３の面と、を有するハウジングと、
前記差し込み口に差し込まれた配線板状部材に形成された複数の電極部と接続する位置にそれぞれ形成された複数の接続端子と、
前記差し込み口の長手方向に関する前記ハウジングの両端に設置され前記ハウジングを回路基板に固定する一対の固定金具と、
を備え、
前記複数の接続端子各々は、
前記第２の面を前記回路基板に対向させて前記ハウジングを前記回路基板に設置するときに前記第２の面の前記第３の面側から張り出して前記回路基板と当接する第１の基板接続部と、
前記第２の面を前記回路基板に対向させて前記ハウジングを前記回路基板に設置するときに前記第２の面の前記第３の面の逆側から張り出して前記回路基板と当接する第２の基板接続部と、
前記第３の面を前記回路基板に対向させて前記ハウジングを前記回路基板に設置するときに前記第３の面の前記第２の面側から張り出して前記回路基板と当接する第３の基板接続部と、
を有し、
前記一対の固定金具各々は、
前記第３の面を前記回路基板に対向させて前記ハウジングを前記回路基板に設置するときに前記第３の面の前記第１の面側から張り出して前記回路基板と当接する第４の基板接続部を有する。
【０００９】
この場合、前記一対の固定金具各々は、
前記第３の面を前記回路基板に対向させて前記ハウジングを前記回路基板に設置するときに前記第３の面の前記第２の面側から張り出して前記回路基板と当接する第５の基板接続部を有する、
ものでもよい。
【００１０】
前記ハウジングは、前記第３の面と逆向きの第４の面を有し、
前記一対の固定金具各々は、
前記差し込み口が前記回路基板から離れる方向を向いて前記ハウジングを傾斜させて前記回路基板に設置するときに前記第４の面の前記第１の面側から張り出して前記回路基板と当接する第６の基板接続部と、
前記差し込み口が前記回路基板から離れる方向を向いて前記ハウジングを傾斜させて前記回路基板に設置するときに前記第４の面の前記第２の面側から張り出して前記回路基板と当接する第７の基板接続部と、
を有し、
前記複数の接続端子各々は、
前記第６の基板接続部を前記回路基板に当接させて前記ハウジングを前記回路基板に設置するときに前記第４の面の前記第２の面側から張り出して前記回路基板と当接する第８の基板接続部を有する、
ものでもよい。
【００１１】
前記ハウジングに対する前記一対の固定金具の取り付け位置を、
前記第４、第５の基板接続部が前記第３の面から張り出し、前記第６、第７の基板接続部が前記第４の面から張り出さない第１の位置と、
前記第６、第７の基板接続部が前記第４の面から張り出し、前記第４、第５の基板接続部が前記第３の面から張り出さない第２の位置と、
のいずれかに設定可能である、
ものでもよい。
【００１２】
前記複数の接続端子各々は、
前記差し込み口に差し込まれた配線板状部材を挟んで延びる２つのビームを有し、
前記各ビームに、前記配線板状部材の複数の接続端子各々と当接する接点が設けられている、
ものでもよい。
【発明の効果】
【００１３】
本発明によれば、第２の面を回路基板に対向させてハウジングを回路基板に設置するときには、各接続端子において第２の面における第３の面側から張り出す第１の基板接続部と、第２の面における第３の面の逆側から張り出す第２の基板接続部とにより、電気コネクタが回路基板に接続される。一方、第３の面を回路基板に対向させてハウジングを回路基板に実装するときには、各接続端子において第２の面側に設けられた第２の基板接続部と、一対の固定金具各々において第１の面側に設けられた第３の基板接続部とにより、電気コネクタが回路基板に接続される。このようにすれば、縦置きと横置き兼用の電気コネクタにおいて、各接続端子及び一対の固定金具を共通化することができる。この結果、製造コストを削減するとともに在庫管理を容易とすることができるうえ、回路基板の設計に自由度を持たせることができる。
【図面の簡単な説明】
【００１４】
【図１】図１（Ａ）及び図１（Ｂ）は、本発明の実施の形態１に係る電気コネクタの構成を示す斜視図である。
【図２】図２（Ａ）〜図２（Ｅ）は、本発明の実施の形態１に係る電気コネクタを５つの方向から見た図である。
【図３】ＦＰＣの上面図である。
【図４】図４（Ａ）及び図４（Ｂ）は、ハウジングの構成を示す斜視図である。
【図５】図５（Ａ）〜図５（Ｅ）は、ハウジングを５つの方向から見た図である。
【図６】図６（Ａ）は、コンタクトの側面図である。図６（Ｂ）は、コンタクトの正面図である。図６（Ｃ）は、コンタクトの斜視図である。図６（Ｄ）は、図５（Ｂ）のＢ−Ｂ断面においてハウジングへ挿入されたコンタクトを示す図である。
【図７】図７（Ａ）は、固定金具の側面図である。図７（Ｂ）は、固定金具の正面図である。図７（Ｃ）は、固定金具の斜視図である。図７（Ｄ）は、図５（Ｂ）のＡ−Ａ断面においてハウジングに挿入された固定金具を示す図である。
【図８】図８（Ａ）は、ハウジングに対する固定金具の第１の取り付け位置を示す図である。図８（Ｂ）は、ハウジングに対する固定金具の第２の取り付け位置を示す図である。
【図９】図９（Ａ）は、電気コネクタを横置きに実装した場合の固定金具の状態を示す図である。図９（Ｂ）は、横置きに実装した場合の電気コネクタの側面図である。図９（Ｃ）は、電気コネクタを横置きに実装した場合にＦＰＣが挿入されたコンタクトの状態を示す図である。
【図１０】図１０（Ａ）は、電気コネクタを傾斜させて実装した場合の固定金具の状態を示す図である。図１０（Ｂ）は、傾斜させて実装した場合の電気コネクタの側面図である。図１０（Ｃ）は、電気コネクタを傾斜させて実装した場合にＦＰＣが挿入されたコンタクトの状態を示す図である。
【図１１】図１１（Ａ）は、電気コネクタを縦置きに実装した場合の固定金具の状態を示す図である。図１１（Ｂ）は、縦置きに実装した場合の電気コネクタの側面図である。図１１（Ｃ）は、電気コネクタを縦置きに実装した場合にＦＰＣが挿入されたコンタクトの状態を示す図である。
【図１２】図１２（Ａ）、図１２（Ｂ）及び図１２（Ｃ）は、本発明の実施の形態２に係る電気コネクタの構成を示す斜視図である。
【図１３】図１３（Ａ）〜図１３（Ｅ）は、本発明の実施の形態２に係る電気コネクタを５つの異なる方向から見た図である。
【図１４】ＦＰＣの上面図である。
【図１５】図１５（Ａ）及び図１５（Ｂ）は、ハウジングの構成を示す斜視図である。
【図１６】図１６（Ａ）は、コンタクトの側面図である。図１６（Ｂ）は、コンタクトの正面図である。図１６（Ｃ）は、コンタクトの斜視図である。
【図１７】図１７（Ａ）はハウジングへ挿入されたコンタクトを示す図であり、図１７（Ｂ）は、図１７（Ａ）のＡ−Ａ断面図である。
【図１８】図１８（Ａ）は、固定金具の斜視図である。図１８（Ｂ）は、固定金具の側面図である。図１８（Ｃ）は、固定金具の正面図である。
【図１９】図１９（Ａ）及び図１９（Ｂ）は、電気コネクタを横置きに実装した場合を示す図である。
【図２０】図２０（Ａ）及び図２０（Ｂ）は、電気コネクタを縦置きに実装した場合を示す図である。
【図２１】図２１（Ａ）及び図２１（Ｂ）は、本発明の実施の形態３に係る電気コネクタの構成を示す斜視図である。
【図２２】図２２（Ａ）及び図２２（Ｂ）は、ＦＰＣの斜視図である。
【図２３】ハウジングの斜視図である。
【図２４】図２４（Ａ）は、本発明の実施の形態３に係る電気コネクタにおいて可動部が開いた状態を示す側面図である。図２４（Ｂ）は、本発明の実施の形態３に係る電気コネクタにおいて可動部が開いた状態を示す斜視図である。
【図２５】図２５（Ａ）は、コンタクトの側面図である。図２５（Ｂ）は、コンタクトの正面図である。図２５（Ｃ）は、コンタクトの斜視図である。図２５（Ｄ）は、ハウジングへ挿入されたコンタクトを示す断面図である。
【図２６】図２６（Ａ）は、固定金具の側面図である。図２６（Ｂ）は、固定金具の正面図である。図２６（Ｃ）は、固定金具の斜視図である。図２６（Ｄ）は、ハウジングから張り出す固定金具の一部を示す側面図である。
【図２７】図２７（Ａ）は、横置きに実装された電気コネクタの側面図である。図２７（Ｂ）は、縦置きに実装された電気コネクタの側面図である。
【図２８】図２８（Ａ）〜図２８（Ｆ）は、電気コネクタにＦＰＣが実装される様子を示す図である。
【発明を実施するための形態】
【００１５】
以下、本発明の実施の形態に係る電気コネクタについて、図面を参照して説明する。
【００１６】
実施の形態１．
まず、本発明の実施の形態１について説明する。本実施の形態に係る電気コネクタ１Ａは、ＮＯＮ−ＺＩＦ（Zero Insertion Force）タイプのコネクタである。図１（Ａ）、図１（Ｂ）、図２（Ａ）〜図２（Ｅ）に示すように、本実施の形態に係る電気コネクタ１Ａの形状は、全体として略直方体（六面体）である。
【００１７】
電気コネクタ１Ａの六面のうちの一面には、図３に示すＦＰＣ３Ａが差し込まれる差し込み口２Ａが設けられている。図２（Ａ）に示すように、差し込み口２Ａが設けられている面を前側端面１０Ａとする。
【００１８】
図２（Ｃ）に示すように、前側端面１０Ａの反対側の面を、後側端面１０Ｂとする。本実施の形態では、前側端面１０Ａ及び後側端面１０Ｂに直交する方向、すなわちｙ軸方向をコネクタ前後方向とする。
【００１９】
電気コネクタ１Ａに差し込まれるＦＰＣ３Ａは板状の部材であるため、差し込み口２Ａは、一方向（ｘ軸方向）に細長い矩形開口となっている。電気コネクタ１Ａの前側端面１０Ａは、差し込み口２Ａの形状に応じて長方形となっている。本実施の形態では、電気コネクタ１Ａの前側端面１０Ａの長手方向を、コネクタ長手方向とする。
【００２０】
図１（Ａ）、図１（Ｂ）、図２（Ａ）〜図２（Ｅ）に示すように、電気コネクタ１Ａは、ハウジング１０と、複数のコンタクト１１と、一対の固定金具１２と、を備える。
【００２１】
ハウジング１０は、絶縁性材料、例えば合成樹脂で形成されている。図４（Ａ）、図４（Ｂ）、図５（Ａ）〜図５（Ｅ）に示すように、ハウジング１０の形状は、直方体（六面体）である。差し込み口２Ａは、ハウジング１０の前側端面１０Ａに形成されている。
【００２２】
ハウジング１０では、差し込み口２Ａが設けられた前側端面１０Ａ（図５（Ａ））が第１の面に対応する。また、前側端面１０Ａの反対側（逆向き）の後側端面１０Ｂ（図５（Ｃ））が第２の面に対応する。さらに、図５（Ｄ）に示す面１０Ｃが、第１、第２の面に直交する第３の面に対応する。さらに、図５（Ｂ）に示す面１０Ｄが、第３の面と逆向きの第４の面に対応する。
【００２３】
ハウジング１０の差し込み口２Ａ内には、複数の端子係止溝１０Ｅが設けられている。各端子係止溝１０Ｅは、それぞれコネクタ前後方向に延びており、コネクタ長手方向に等間隔で配列されている。図３に示すように、ＦＰＣ３Ａの一端には、複数の電極部４Ａが等間隔で配列されている。ハウジング１０の端子係止溝１０Ｅは、電気コネクタ１Ａに差し込まれたＦＰＣ３Ａの電極部４Ａの位置に対応して設けられている。
【００２４】
複数のコンタクト１１は、ハウジング１０の複数の端子係止溝１０Ｅにそれぞれ圧入係止される。この圧入係止により、複数のコンタクト１１は、差し込み口２Ａに差し込まれたＦＰＣ３Ａに形成された複数の電極部４Ａと接続する位置にそれぞれ配置され、結果的にコネクタ長手方向（左右方向）に配列される。
【００２５】
コンタクト１１は、導電性かつ可撓性を有する部材である。コンタクト１１は、図６（Ａ）、図６（Ｂ）に示すように、一方向に延びる平板状の部材である。図６（Ａ）に示すように、コンタクト１１は、一対のビーム１１Ａ、１１Ｂを備えている。また、コンタクト１１は、ビーム１１Ａとビーム１１Ｂとを連結する支柱部１１Ｃを備えている。ビーム１１Ａ、１１Ｂは、支柱部１１Ｃから同じ方向に延びている。ビーム１１Ａ、１１Ｂの間隔は、ＦＰＣ３Ａを間に挿入できるような間隔となっている。ビーム１１Ａ、１１Ｂの先端には、ＦＰＣ３Ａの電極部４Ａに当接可能に配置された接点部１１Ａａ、１１Ｂａが設けられている。図６（Ｄ）に示すように、コンタクト１１は、ビーム１１Ａ、１１Ｂがコネクタ前後方向に延びるように、ハウジング１０内に圧入される。
【００２６】
コンタクト１１には、基板接続部１１Ｄ、１１Ｅが形成されている。基板接続部１１Ｄ、１１Ｅは、図６（Ｄ）に示すように、後側端面１０Ｂ側に形成されている。基板接続部１１Ｄは、後側端面１０Ｂを回路基板に対向させてハウジング１０を回路基板に設置するときに後側端面１０Ｂの面１０Ｃ側から張り出して回路基板と当接する。また、基板接続部１１Ｅは、後側端面１０Ｂを回路基板に対向させてハウジング１０を回路基板に設置するときに後側端面１０Ｂの面１０Ｄ側から張り出して回路基板と当接する。
【００２７】
コンタクト１１には、基板接続部１１Ｆが形成されている。基板接続部１１Ｆは、図６（Ｄ）に示すように、面１０Ｃの後側端面１０Ｂ側に形成されている。基板接続部１１Ｆは、面１０Ｃを回路基板に対向させてハウジング１０を回路基板に設置するときに面１０Ｃの後側端面１０Ｂ側から張り出して回路基板と当接する。
【００２８】
さらに、コンタクト１１には、基板接続部１１Ｇが形成されている。基板接続部１１Ｇは、図６（Ｄ）に示すように面１０Ｄの後側端面１０Ｂ側に形成されている。基板接続部１１Ｇは、コネクタ前後方向に対して傾斜している。基板接続部１１Ｇは、差し込み口２Ａが回路基板から離れる方向を向いてハウジング１０を傾斜させて回路基板に設置するときに面１０Ｄから張り出して回路基板と当接する。
【００２９】
図１（Ａ）、図１（Ｂ）、図２（Ａ）〜図２（Ｅ）に示すように、固定金具１２は、差し込み口２Ａの長手方向（コネクタ長手方向）に関するハウジング１０の両端にそれぞれ挿入される。固定金具１２は、ハウジング１０を回路基板に固定する金具である。
【００３０】
固定金具１２は、図７（Ａ）、図７（Ｂ）及び図７（Ｃ）に示すように、一方向に延びる平板状の部材である。図７（Ａ）に示すように、固定金具１２は、一方向に延びる支柱部１２Ａを中心に構成されており、支柱部１２Ａの両端には支柱部１２Ａより幅広の接続片１２Ｂ、１２Ｃが形成されている。
【００３１】
一方の接続片１２Ｂには、基板接続部１２Ｂａ、１２Ｂｂが形成されており、他方の接続片１２Ｃには、基板接続部１２Ｃａ、１２Ｃｂが形成されている。
【００３２】
図７（Ｄ）に示すように、基板接続部１２Ｂａは、面１０Ｃの前側端面１０Ａ側に形成されている。また、基板接続部１２Ｃａは、面１０Ｃの後側端面１０Ｂ側に形成されている。基板接続部１２Ｂａ、１２Ｃａは、面１０Ｃ側で、回路基板に実装される場合に、回路基板と当接する。
【００３３】
基板接続部１２Ｂｂは、面１０Ｄの前側端面１０Ａ側に形成されている。また、基板接続部１２Ｃｂは、面１０Ｄの後側端面１０Ｂ側に形成されている。基板接続部１２Ｂｂ、１２Ｃｂは、面１０Ｄ側で、回路基板に実装される場合に、回路基板と当接する。
【００３４】
図７（Ｄ）に示すように、固定金具１２は、支柱部１２Ａの延びる方向が、コネクタ前後方向となるようにハウジング１０に取り付けられる。支柱部１２Ａは、面１０Ｃ側に位置している。
【００３５】
支柱部１２Ａの中間には、係止片１２Ｄが形成されている。係止片１２Ｄには、係止突起１２Ｄａが設けられている。ハウジング１０のコネクタ長手方向の両端には、図７（Ｄ）に示すように、固定金具１２と係合する固定金具係合部１０Ｆが設けられている。固定金具係合部１０Ｆには、係止突起１２Ｄａと係合する凹部１０Ｆａ、１０Ｆｂが設けられている。また、接続片１２Ｃには、係止突起１２Ｃｃが設けられている。固定金具係合部１０Ｆには、係止突起１２Ｃｃと係合する凹部１０Ｃａ、１０Ｃｂが設けられている。
【００３６】
ハウジング１０に対する固定金具１２の取り付け位置は、２つの異なる位置に設定可能である。図８（Ａ）に示すように、係止突起１２Ｄａを凹部１０Ｆａと係合させ、係止突起１２Ｃｃを凹部１０Ｃａと係合させた場合には、基板接続部１２Ｂａ、１２Ｃａが面１０Ｃから張り出し、基板接続部１２Ｂｂ、１２Ｃｂが面１０Ｄから張り出さないようになる。これが第１の取り付け位置である。
【００３７】
一方、図８（Ｂ）に示すように、係止突起１２Ｄａを凹部１０Ｆｂと係合させ、係止突起１２Ｃｃを凹部１０Ｃｂと係合させた場合には、基板接続部１２Ｂｂ、１２Ｃｂが面１０Ｄから張り出し、基板接続部１２Ｂａ、１２Ｃａが側面１０Ｃから張り出さないようになる。これが第２の取り付け位置となる。
【００３８】
続いて、電気コネクタ１Ａを、コネクタ前後方向が回路基板の実装面に平行な状態、すなわち横置きに実装する場合について説明する。まず、図９（Ａ）に示すように、固定金具１２は、第１の取り付け位置に取り付けられ、面１０Ｃが回路基板２０を向くように、電気コネクタ１Ａが回路基板２０上に載置される。これにより、図９（Ｂ）に示すように、基板接続部１２Ｂａ、１２Ｃａが、回路基板２０に当接する。また、この場合、図９（Ｃ）に示すように、コンタクト１１の基板接続部１１Ｆが回路基板２０に当接する。
【００３９】
基板接続部１２Ｂａ、１２Ｃａ、基板接続部１１Ｆがはんだ付けされ、電気コネクタ１Ａが回路基板２０に実装される。この後、ＦＰＣ３Ａが、差し込み口２Ａに差し込まれる。
【００４０】
差し込み口２Ａに差し込まれたＦＰＣ３Ａは、図９（Ｃ）に示すように、コンタクト１１のビーム１１Ａ、１１Ｂの間に挿入され、ＦＰＣ３Ａの電極部４Ａが、接点部１１Ａａ、１１Ｂａと接触する。このとき、不図示のロック部材が、ＦＰＣ３Ａの切り欠き５Ａと係合する。これにより、ＦＰＣ３Ａの挿入が完了する。
【００４１】
続いて、電気コネクタ１Ａを、回路基板２０の実装面に対して傾斜させて実装する場合について説明する。まず、図１０（Ａ）に示すように、固定金具１２は、第２の取り付け位置に取り付けられ、面１０Ｄが回路基板２０を向くように、載置される。これにより、図１０（Ｂ）に示すように、基板接続部１２Ｂｂ、１２Ｃｂが、回路基板２０に当接する。また、図１０（Ｃ）に示すように、コンタクト１１の基板接続部１１Ｇが、回路基板２０に当接する。
【００４２】
基板接続部１２Ｂｂ、１２Ｃｂははんだ付けされ、電気コネクタ１Ａが、回路基板２０に実装される。差し込み口２Ａは、回路基板２０から離れた斜め上方向を向いている。この状態で、ＦＰＣ３Ａが差し込み口２Ａに差し込まれる。
【００４３】
差し込み口２Ａに差し込まれたＦＰＣ３Ａは、コンタクト１１のビーム１１Ａ、１１Ｂの間に挿入され、ＦＰＣ３Ａの電極部４Ａが、接点部１１Ａａ、１１Ｂａの一方と接触する。このとき、不図示のロック部材が、ＦＰＣ３Ａの切り欠き５Ａと係合する。これにより、ＦＰＣ３Ａの挿入が完了する。
【００４４】
続いて、電気コネクタ１Ａを、回路基板２０の実装面の逆側に差し込み口２Ａが向くように、いわゆる縦置きで実装する場合について説明する。この場合、図１１（Ａ）に示すように、固定金具１２は、第１の取り付け位置に取り付けられ、図１１（Ｂ）に示すように、後側端面１０Ｂが回路基板２０を向くように載置されている。これにより、図１１（Ｃ）に示すように、基板接続部１１Ｄ、１１Ｅが、回路基板２０に当接する。
【００４５】
基板接続部１１Ｄ、１１Ｅははんだ付けされ、電気コネクタ１Ａが、回路基板２０に実装される。差し込み口２Ａは、上方向（回路基板２０の反対側、＋Ｚ方向）を向いている。この状態で、ＦＰＣ３Ａが、差し込み口２Ａより差し込まれる。
【００４６】
差し込み口２Ａに差し込まれたＦＰＣ３Ａは、コンタクト１１のビーム１１Ａ、１１Ｂの間に挿入され、ＦＰＣ３Ａの電極部４Ａが、接点部１１Ａａ、１１Ｂａの一方と接触する。
【００４７】
以上詳細に説明したように、本実施の形態によれば、後側端面１０Ｂを回路基板２０に対向させてハウジング１０を回路基板２０に設置するときには、各コンタクト１１において後側端面１０Ｂにおける面１０Ｃ側から張り出す基板接続部１１Ｄと、後側端面１０Ｂにおける面１０Ｃの逆側から張り出す基板接続部１１Ｆとにより、電気コネクタ１Ａが回路基板２０に接続される。一方、面１０Ｃを回路基板２０に対向させてハウジング１０を回路基板２０に実装するときには、各コンタクト１１において後側端面１０Ｂ側に設けられた基板接続部１１Ｆと、一対の固定金具１２各々において前側端面１０Ａ側に設けられた基板接続部１２Ｂａと、後側端面１０Ｂ側に設けられた基板接続部１２Ｃａとにより、電気コネクタ１Ａが回路基板に接続される。このようにすれば、縦置きにしても、横置きにしても、同じコンタクト１１及び一対の固定金具１２を用いることができるので、縦置きと横置き兼用の電気コネクタ１Ａにおいて、コンタクト１１及び一対の固定金具１２を共通化することができる。この結果、製造コストを削減するとともに在庫管理を容易とすることができるうえ、回路基板２０の設計に自由度を持たせることができる。
【００４８】
また、電気コネクタ１Ａは、後側端面１０Ｂにおける、面１０Ｃ側と面１０Ｄ側の両側で回路基板２０と接続することができる上、回路基板２０に対向する面１０Ｃにおける、前側端面１０Ａ側と後側端面１０Ｂ側との両側で回路基板２０と接続することができる。この結果、縦置きにしても、横置きにしても、回路基板２０と接続する部分を、回路基板２０と対向する面の両端に配置することができるので、回路基板２０が電気コネクタ１Ａを安定した状態で支持することができる。
【００４９】
また、本実施の形態によれば、差し込み口２Ａが回路基板２０に対して離れる方向に斜め上を向くように、回路基板２０に対して電気コネクタ１Ａを傾斜させて実装することも可能である。このようにすれば、ＦＰＣ３を差し込み口２Ａに差し込み易くなり、電気コネクタ１Ａの接続不良等を減らすことができる。この結果、電気コネクタ１Ａが組み込まれる機器の製造の歩留まりを向上することができる。また、１つの電気コネクタで複数の実装方法を３つに増やすことができ、複数の実装方法の中から回路基板２０のレイアウトに応じた実装方法を採用することができるため、回路基板２０上の設計の自由度も向上することができる。例えば、回路基板２０上の電気コネクタ１Ａの実装面積を小さくしようとする場合には、電気コネクタ１Ａを縦置きとすれば良いし、低背化を重視する際には電気コネクタ１Ａを横置きとすれば良い。また、周辺部品の配置等により、ＦＰＣ３Ａを差し込みにくい場所に電気コネクタ１Ａを実装する場合には、電気コネクタ１Ａを傾斜して実装するようにしてもよい。
【００５０】
また、本実施の形態によれば、コンタクト１１のビーム１１Ａ、１１Ｂの双方に接点部１１Ａａ、１１Ｂｂが設けられている。このようにすれば、ＦＰＣ３Ａの挿入の向きにかかわらず、ＦＰＣ３Ａの電極部４Ａを、コンタクト１１のビームの接点部１１Ａａ、１１Ｂａに接触させ、ＦＰＣ３Ａとコンタクト１１とを電気的に接続することができる。
【００５１】
実施の形態２．
次に、本発明の実施の形態２について説明する。本実施の形態２に係る電気コネクタ１Ｂは、ＮＯＮ−ＺＩＦタイプの電気コネクタである。
【００５２】
図１２（Ａ）〜図１２（Ｃ）、図１３（Ａ）〜図１３（Ｅ）に示すように、本実施の形態に係る電気コネクタ１Ｂの形状は、全体として略直方体（六面体）である。
【００５３】
電気コネクタ１Ｂの六面のうちの一面には、図１４に示すＦＰＣ３Ｂが差し込まれる差し込み口２Ｂが設けられている。図１３（Ａ）に示すように、差し込み口２Ｂが設けられている面を前側端面３０Ａとする。
【００５４】
図１３（Ｃ）に示すように、前側端面３０Ａの反対側の面を、後側端面３０Ｂとする。本実施の形態では、前側端面３０Ａ及び後側端面３０Ｂに直交するｙ軸方向をコネクタ前後方向とする。
【００５５】
差し込み口２Ｂの形状は一方向（ｘ軸方向）に細長い矩形開口となっている。電気コネクタ１Ｂの前側端面３０Ａは、差し込み口２Ｂの形状に沿った長方形となっている。本実施の形態では、電気コネクタ１Ｂの前側端面３０Ａの長手方向を、コネクタ長手方向とする。
【００５６】
図１２（Ａ）〜図１２（Ｃ）、図１３（Ａ）〜図１３（Ｅ）に示すように、電気コネクタ１Ｂは、ハウジング３０と、複数のコンタクト３１と、一対の固定金具３２と、を備える。
【００５７】
ハウジング３０は、絶縁性材料、例えば合成樹脂で形成されている。図１５（Ａ）、図１５（Ｂ）に示すように、ハウジング３０の形状は、直方体（六面体）である。差し込み口２Ｂは、ハウジング３０に形成されている。
【００５８】
ハウジング３０では、図１３（Ａ）に示すように、差し込み口２Ｂが設けられた前側端面３０Ａが第１の面に対応する。また、図１３（Ｃ）に示すように、前側端面３０Ａの反対側（逆向き）の後側端面３０Ｂが第２の面に対応する。さらに、図１３（Ｄ）に示すように、面３０Ｃが、第１、第２の面に直交する第３の面に対応する。さらに、図１３（Ｂ）に示すように、面３０Ｄが、第３の面と逆向きの第４の面に対応する。
【００５９】
図１５（Ａ）に示すように、ハウジング３０の差し込み口２Ｂ内には、複数の端子係止溝３０Ｅが設けられている。端子係止溝３０Ｅは、それぞれコネクタ前後方向に延びており、コネクタ長手方向に等間隔で配列されている。ハウジング３０の端子係止溝３０Ｅは、電気コネクタ１Ｂに差し込まれたＦＰＣ３Ｂの電極部４Ｂの位置に対応して設けられている。
【００６０】
複数のコンタクト３１は、ハウジング３０の複数の端子係止溝３０Ｅにそれぞれ圧入係止される。この圧入係止により、複数のコンタクト３１は、差し込み口２Ｂに差し込まれたＦＰＣ３Ｂに形成された複数の電極部４Ｂと接続する位置にそれぞれ配置され、コネクタ長手方向（左右方向）に配列される。
【００６１】
コンタクト３１は、導電性かつ可撓性を有する部材である。コンタクト３１は、図１６（Ａ）、図１６（Ｂ）に示すように、一方向に延びる平板状の部材である。図１６（Ａ）に示すように、コンタクト３１は、一対のビーム３１Ａ、３１Ｂを備えている。また、コンタクト３１は、ビーム３１Ａ、３１Ｂを連結する支柱部３１Ｃを備えている。ビーム３１Ａ、３１Ｂは、支柱部３１Ｃから一方向に延びている。ビーム３１Ａの先端には、ＦＰＣ３Ｂの電極部４Ｂに当接可能に配置された接点部３１Ａａが設けられている。コンタクト３１は、ビーム３１Ａ、３１Ｂがコネクタ前後方向に延びるように、ハウジング３０内に圧入される。
【００６２】
コンタクト３１には、基板接続部３１Ｄと、基板接続部３１Ｅとが形成されている。基板接続部３１Ｄ、３１Ｅは、後側端面３０Ｂ側に張り出している。基板接続部３１Ｄ、３１Ｅは、後側端面３０Ｂを回路基板２０に対向させてハウジング３０を回路基板２０に縦置きに設置するときに回路基板２０と当接する。
【００６３】
コンタクト３１には、この他、基板接続部３１Ｆ、３１Ｇが形成されている。
【００６４】
図１７（Ａ）のＡ−Ａ断面である図１７（Ｂ）に示すように、基板接続部３１Ｆ、３１Ｇは、面３０Ｃ、３０Ｄの後側端面３０Ｂ側から張り出すようになる。基板接続部３１Ｆ又は基板接続部３１Ｇは、面３０Ｃ、３０Ｄのいずれかを回路基板２０に対向させてハウジング３０を回路基板２０に設置するときに、回路基板２０と当接する。
【００６５】
固定金具３２は、図１５（Ａ）に示すハウジング３０の前側端面３０Ａの角部３０Ｆにそれぞれ嵌め込まれている。固定金具３２は、ハウジング３０を回路基板２０に固定する金具である。
【００６６】
固定金具３２は、図１８（Ａ）、図１８（Ｂ）及び図１８（Ｃ）に示すように、Ｕ字状の部材である。図１８（Ａ）に示すように、固定金具３２は、係止部３２Ａを有しており、この係止部３２Ａにより、固定金具３２がハウジング３０に嵌め込まれる。
【００６７】
固定金具３２には、基板接続部３２Ｂが設けられている。基板接続部３２Ｂは、面３０Ｃ、３０Ｄを回路基板２０に対向させてハウジング３０を回路基板２０に設置するときに面３０Ｃ、３０Ｄの前側端面（第１の面）３０Ａ側から張り出して、回路基板２０と当接する。
【００６８】
次に、電気コネクタ１Ｂを、コネクタ前後方向が、回路基板２０の実装面に平行な状態、すなわち横置きに実装する場合について説明する。この場合、まず、面３０Ｃが回路基板２０を向くように載置される。これにより、図１７（Ｂ）に示すようにコンタクト３１がハウジング３０に嵌め込まれている場合には、図１９（Ａ）及び図１９（Ｂ）に示すように、コンタクト３１の基板接続部３１Ｆ又は３１Ｇのいずれかが、回路基板２０に当接し、固定金具３２の基板接続部３２Ｂが回路基板２０に当接する。
【００６９】
コンタクト３１の基板接続部３１Ｆ、３１Ｇのいずれか及び固定金具３２の基板接続部３２Ｂははんだ付けされ、電気コネクタ１Ｂが、回路基板２０に実装される。この状態で、ＦＰＣ３Ｂが、差し込み口２Ｂより差し込まれる。
【００７０】
差し込み口２Ｂに差し込まれたＦＰＣ３Ｂは、コンタクト３１のビーム３１Ａ、３１Ｂの間に挿入され、ＦＰＣ３Ｂの電極部４Ｂが、接点部３１Ａａと接触する。
【００７１】
続いて、電気コネクタ１Ｂを、差し込み口２Ｂが回路基板２０の実装面の反対側を向くように実装する場合、すなわち縦置きの場合について説明する。この場合、図２０（Ａ）及び図２０（Ｂ）に示すように、後側端面３０Ｂが回路基板２０を向くように、電気コネクタ１Ｂが載置される。これにより、コンタクト３１の基板接続部３１Ｄ、３１Ｅが、回路基板２０に当接する。
【００７２】
基板接続部３１Ｄ、３１Ｅははんだ付けされ、電気コネクタ１Ｂが、回路基板２０に実装される。この状態で、ＦＰＣ３Ｂが差し込み口２Ｂより差し込まれる。
【００７３】
差し込み口２Ｂに差し込まれたＦＰＣ３Ｂは、コンタクト３１のビーム３１Ａとビーム３１Ｂとの間に挿入され、ＦＰＣ３Ｂの電極部４Ｂが、接点部３１Ａａと接触する。このとき、不図示のロック部材が、ＦＰＣ３Ｂの切り欠き５Ｂと係合する。これにより、ＦＰＣ３Ｂの挿入が完了する。
【００７４】
以上詳細に説明したように、本実施の形態によれば、後側端面３０Ｂを回路基板２０に対向させてハウジング３０を回路基板２０に設置するときには、面３０Ｃ側から張り出す基板接続部３１Ｄ（第１の基板接続部）と、面３０Ｄ側から張り出す基板接続部３１Ｅ（第２の基板接続部）とにより、電気コネクタ１Ｂが回路基板２０に接続される。一方、面３０Ｃを回路基板２０に対向させてハウジング３０を回路基板２０に実装するときには、コンタクト３１において後側端面３０Ｂ側に設けられた基板接続部３１Ｆ（第３の基板接続部）と、一対の固定金具３２各々において前側端面３０Ａ側に設けられた基板接続部３２Ｂとにより、電気コネクタ１Ｂが回路基板２０に接続される。このようにすれば、縦置きにしても、横置きにしても、同じコンタクト３１及び一対の固定金具３２を用いることができるので、縦置きと横置き兼用の電気コネクタ１Ｂにおいて、コンタクト３１及び一対の固定金具３２を共通化することができる。この結果、製造コストを削減するとともに在庫管理を容易とすることができるうえ、回路基板２０の設計に自由度を持たせることができる。
【００７５】
また、電気コネクタ１Ｂは、後側端面３０Ｂで回路基板２０と接続する際には、面３０Ｃ側と面３０Ｄ側との両方で回路基板２０と接続することができる。また、電気コネクタ１Ｂは、面３０Ｃで回路基板２０と接続する際には、前側端面３０Ａ側と後側端面３０Ｂ側とで回路基板２０と接続することができる。この結果、縦置きにしても、横置きにしても、回路基板２０と接続する部分を、回路基板２０と対向する面の両端に配置することができるので、回路基板２０が電気コネクタ１Ｂを安定した状態で支持することができる。
【００７６】
実施の形態３．
次に、本発明の実施の形態３について説明する。上記実施の形態１、２に係る電気コネクタ１Ａ、１Ｂは、ＮＯＮ−ＺＩＦタイプの電気コネクタであったが、本実施の形態に係る電気コネクタ１Ｃは、ＺＩＦタイプの電気コネクタである。
【００７７】
図２１（Ａ）及び図２１（Ｂ）に示すように、本実施の形態に係る電気コネクタ１Ｃの形状は、全体として略直方体（六面体）である。
【００７８】
図２１（Ａ）に示すように、電気コネクタ１Ｃの六面のうちの一面には、図２２（Ａ）及び図２２（Ｂ）に示すＦＰＣ３Ｃが差し込まれる差し込み口２Ｃが設けられている。差し込み口２Ｃが設けられている面を前側端面４０Ａとする。
【００７９】
図２１（Ｂ）に示すように、前側端面４０Ａの反対側の面を、後側端面４０Ｂとする。本実施の形態では、前側端面４０Ａ及び後側端面４０Ｂに直交する方向（ｙ軸方向）をコネクタ前後方向とする。
【００８０】
差し込み口２Ｃの形状は一方向（ｘ軸方向）に細長い開口となっている。電気コネクタ１Ｃの前側端面４０Ａは、差し込み口２Ｃの形状に沿った形状を有する。本実施の形態では、電気コネクタ１Ｃの前側端面４０Ａの長手方向を、コネクタ長手方向とする。
【００８１】
図２１（Ａ）、図２１（Ｂ）に示すように、電気コネクタ１Ｃは、ハウジング４０と、複数のコンタクト４１と、一対の固定金具４２と、可動部（アクチュエータ）５０と、を備える。
【００８２】
ハウジング４０は、絶縁性材料、例えば合成樹脂で形成されている。図２３に示すように、ハウジング４０は、コネクタ長手方向を長手方向としている。差し込み口２Ｃは、ハウジング４０と可動部５０によって形成される。
【００８３】
図２３に示すように、ハウジング４０では、差し込み口２Ｃが設けられた前側端面４０Ａが第１の面に対応する。また、図２４（Ａ）に示すように、前側端面４０Ａの反対側（逆向き）の後側端面４０Ｂが第２の面に対応する。さらに、面４０Ｃが、第１、第２の面に直交する第３の面に対応する。
【００８４】
図２１（Ａ）、図２１（Ｂ）、図２４（Ａ）、図２４（Ｂ）に示すように、可動部５０は、ハウジング４０に対して回動可能となっている。ＦＰＣ３Ｃをホールドしていない状態では、可動部５０は、図２４（Ａ）、図２４（Ｂ）に示すように、ハウジング４０に対して開いた状態となっている。
【００８５】
図２３に示すように、ハウジング４０の差し込み口２Ｃ内には、複数の端子係止溝４０Ｅが設けられている。各端子係止溝４０Ｅは、それぞれコネクタ前後方向に延びており、コネクタ長手方向に等間隔で配列されている。ハウジング４０の端子係止溝４０Ｅは、電気コネクタ１Ｃに差し込まれたＦＰＣ３Ｃの電極部４Ｃ（図２２（Ａ））の位置に対応して設けられている。
【００８６】
複数のコンタクト４１は、ハウジング４０の複数の端子係止溝４０Ｅにそれぞれ圧入係止される。この圧入係止により、複数のコンタクト４１は、差し込み口２Ｃに差し込まれたＦＰＣ３Ｃに形成された複数の電極部４Ｃと接続する位置にそれぞれ配置され、コネクタ長手方向（左右方向）に配列される。ハウジング４０のコネクタ長手方向両端には、固定金具挿入部４０Ｆが設けられている。
【００８７】
コンタクト４１は、導電性かつ可撓性を有する部材である。コンタクト４１は、図２５（Ａ）、２５（Ｂ）に示すように、平板状の部材である。図２５（Ａ）に示すように、コンタクト４１は、一本のビーム４１Ａを備えている。ビーム４１Ａの先端には、ＦＰＣ３Ｃの電極部４Ｃに当接可能に配置された接点部４１Ａａが設けられている。また、各コンタクト４１は、端子係止溝４０Ｅに圧入固定される固定部４１Ｂを備えている。固定部４１Ｂは、ビーム４１Ａの延びる方向と交差する方向に延びている。ビーム４１Ａは、固定部４１Ｂの一端から一方向に延びている。図２５（Ｄ）に示すように、各コンタクト４１は、各ビーム４１Ａがコネクタ前後方向に延びるように、ハウジング４０内に圧入される。また、固定部４１Ｂの上方端からアクチュエータ当接部４１Ｃがビーム４１Ａと同じ方向に延びている。アクチュエータ当接部４１Ｃは、可動部５０の回転軸５０Ａと当接している。
【００８８】
各コンタクト４１には、基板接続部４１Ｄと、基板接続部４１Ｅとが形成されている。図２５（Ｄ）に示すように、基板接続部４１Ｄ、４１Ｅは、後側端面４０Ｂ側に張り出している。基板接続部４１Ｄ、４１Ｅは、後側端面４０Ｂを回路基板２０に対向させてハウジング４０を回路基板２０に設置するときに回路基板２０と当接する。
【００８９】
コンタクト４１には、基板接続部４１Ｆが形成されている。基板接続部４１Ｆは、面４０Ｃの後側端面４０Ｂ側から張り出している。基板接続部４１Ｆは、面４０Ｃを回路基板２０に対向させてハウジング４０を回路基板２０に設置するときに面４０Ｃの後側端面４０Ｂ側から張り出して回路基板２０と当接する。
【００９０】
固定金具４２は、差し込み口２Ｃの長手方向（コネクタ長手方向）に関するハウジング４０の両端の固定金具挿入部４０Ｆ（図２３参照）にそれぞれ挿入されている。固定金具４２は、ハウジング４０を回路基板２０に固定する金具である。
【００９１】
固定金具４２は、図２６（Ａ）、図２６（Ｂ）及び図２６（Ｃ）に示すように、Ｕ字状の部材である。図２１（Ａ）に示すように、固定金具４２は、ハウジング４０のコネクタ長手方向両端の固定金具挿入部４０Ｆにそれぞれ嵌め込まれる。
【００９２】
固定金具４２には、図２６（Ａ）〜図２６（Ｄ）に示すように、基板接続部４２Ａ、４２Ｂ、４２Ｃ、４２Ｄが設けられている。図２６（Ｄ）に示すように、基板接続部４２Ａ、４２Ｂは、後側端面４０Ｂから張り出している。基板接続部４２Ｃ、４２Ｄは、面４０Ｃから張り出している。
【００９３】
可動部５０は、図２５（Ｄ）に示すように、回転軸５０Ａを有している。可動部５０は、回転軸５０Ａを中心に回動する。可動部５０が回転軸５０Ａにより回動する範囲は、図２１（Ａ）及び図２１（Ｂ）に示すような閉じた状態と、図２４（Ａ）及び図２４（Ｂ）に示すような開いた状態との間である。可動部５０は、図２４（Ｂ）に示すように、コネクタ左右方向両端に、係止部５０Ｂを有している。
【００９４】
次に、電気コネクタ１Ｃを、図２７（Ａ）に示すように、電気コネクタ１Ｃを横置きに実装する場合について説明する。この場合、基板接続部４２Ｃ、４２Ｄが、回路基板２０に当接する。基板接続部４２Ｃ、４２Ｄははんだ付けされ、電気コネクタ１Ｃが回路基板２０に実装される。
【００９５】
続いて、電気コネクタ１Ｃを、図２７（Ｂ）に示すように電気コネクタ１Ｃを縦置きに実装する場合について説明する。この場合、基板接続部４２Ａ、４２Ｂが、回路基板２０に当接する。基板接続部４２Ａ、４２Ｂははんだ付けされ、電気コネクタ１Ｃが、回路基板２０に実装される。
【００９６】
電気コネクタ１Ｃが回路基板２０に実装された後、可動部５０が開いた状態で、図２８（Ａ）、図２８（Ｂ）、図２８（Ｃ）に示すように、ＦＰＣ３Ｃが差し込み口２Ｃから差し込まれる。この状態で、図２８（Ｄ）に示すように、可動部５０をハウジング４０に向けて回動させると、可動部５０によってＦＰＣ３Ｃが下方に押し付けられ、図２８（Ｅ）に示すように、ＦＰＣ３Ｃの電極部４Ｃがコンタクト４１のビーム４１Ａの接点部４１Ａａと接触するとともに、図２８（Ｄ）に示すように、ＦＰＣ３Ｃの切り欠き５Ｃが、可動部５０の係止部５０Ｂと係止し、ＦＰＣ３がロックされる。このようにして、ＦＰＣ３Ｃが、電気コネクタ１Ｃに接続される。
【００９７】
以上詳細に説明したように、本実施の形態によれば、後側端面４０Ｂを回路基板２０に対向させてハウジング４０を回路基板２０に設置するときには、面４０Ｃ側から張り出す基板接続部４１Ｄ（第１の基板接続部）と、面４０Ｃの逆側から張り出す基板接続部４１Ｅ（第２の基板接続部）とに加え、一対の固定金具４２各々の基板接続部４２Ａ、４２Ｂにより、電気コネクタ１Ｃが回路基板２０に接続される。一方、面４０Ｃを回路基板２０に対向させてハウジング４０を回路基板２０に実装するときには、コンタクト４１において後側端面４０Ｂ側に設けられた基板接続部４１Ｆ（第３の基板接続部）と、一対の固定金具４２各々において前側端面４０Ａ側及び後側端面４０Ｂに設けられた基板接続部４２Ｃ、４２Ｄとにより、電気コネクタ１Ｃが回路基板２０に接続される。このようにすれば、縦置きにしても、横置きにしても、同じコンタクト４１及び一対の固定金具４２を用いることができるので、縦置きと横置き兼用の電気コネクタ１Ｃにおいて、コンタクト４１及び一対の固定金具４２を共通化することができる。この結果、製造コストを削減するとともに在庫管理を容易とすることができるうえ、回路基板２０の設計に自由度を持たせることができる。
【００９８】
また、電気コネクタ１Ｃは、後側端面４０Ｂにおける、面１０Ｃ側とその逆側の両側で回路基板２０と接続することができる上、回路基板２０に対向する面４０Ｃにおける、前側端面４０Ａ側と後側端面４０Ｂ側との両側で回路基板２０と接続することができる。この結果、縦置きにしても、横置きにしても、回路基板２０と接続する部分を、回路基板２０と対向する面の両端に配置することができるので、回路基板２０が電気コネクタ１Ｃを安定した状態で支持することができる。
【００９９】
上記各実施の形態では、本発明を、ＦＰＣ３Ａ、３Ｂ、３Ｃを回路基板に電気的及び物理的に接続する電気コネクタ１Ａ、１Ｂ、１Ｃに適用する場合について説明したが、本発明は、ＦＦＣ（フレキシブルフラットケーブル）を回路基板に電気的及び物理的に接続する電気コネクタにも適用することができる。その他の平板状の配線部材についても、本発明を適用可能である。
【０１００】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【０１０１】
本発明は、携帯電話及びパーソナルコンピュータの部品として実装される電気コネクタに適用することができる。
【符号の説明】
【０１０２】
１Ａ、１Ｂ、１Ｃ  電気コネクタ、２Ａ、２Ｂ、２Ｃ  差し込み口、３Ａ、３Ｂ、３Ｃ  ＦＰＣ、４Ａ、４Ｂ、４Ｃ  電極部、５Ａ、５Ｂ、５Ｃ  切り欠き、１０  ハウジング、１０Ａ  前側端面、１０Ｂ  後側端面、１０Ｃ、１０Ｄ  面、１０Ｃａ、１０Ｃｂ  凹部、１０Ｅ  端子係止溝、１０Ｆ  固定金具係合部、１０Ｆａ、１０Ｆｂ  凹部、１１  コンタクト、１１Ａ、１１Ｂ  ビーム、１１Ａａ、１１Ｂａ  接点部、１１Ｃ  支柱部、１１Ｄ、１１Ｅ、１１Ｆ、１１Ｇ  基板接続部、１２  固定金具、１２Ａ  支柱部、１２Ｂ、１２Ｃ  接続片、１２Ｂａ、１２Ｂｂ、１２Ｃａ、１２Ｃｂ  基板接続部、１２Ｃｃ  係止突起、１２Ｄ  係止片、１２Ｄａ  係止突起、２０  回路基板、３０  ハウジング、３０Ａ  前側端面、３０Ｂ  後側端面、３０Ｃ、３０Ｄ  面、３０Ｅ  端子係止溝、３０Ｆ  角部、３１  コンタクト、３１Ａ  ビーム、３１Ａａ  接点部、３１Ｂ  ビーム、３１Ｃ  支柱部、３１Ｄ、３１Ｅ、３１Ｆ、３１Ｇ  基板接続部、３２  固定金具、３２Ａ  係止部、３２Ｂ  基板接続部、４０  ハウジング、４０Ａ  前側端面、４０Ｂ  後側端面、４０Ｃ  面、４０Ｅ  端子係止溝、４０Ｆ  固定金具挿入部、４１  コンタクト、４１Ａ  ビーム、４１Ａａ  接点部、４１Ｂ  固定部、４１Ｃ  アクチュエータ当接部、４１Ｄ、４１Ｅ、４１Ｆ  基板接続部、４２  固定金具、４２Ａ、４２Ｂ、４２Ｃ、４２Ｄ  基板接続部、、５０  可動部（アクチュエータ）、５０Ａ  回転軸、５０Ｂ  係止部。
【図１】
2017027827.tif 000003
【図２】
2017027827.tif 000004
【図３】
2017027827.tif 000005
【図４】
2017027827.tif 000006
【図５】
2017027827.tif 000007
【図６】
2017027827.tif 000008
【図７】
2017027827.tif 000009
【図８】
2017027827.tif 000010
【図９】
2017027827.tif 000011
【図１０】
2017027827.tif 000012
【図１１】
2017027827.tif 000013
【図１２】
2017027827.tif 000014
【図１３】
2017027827.tif 000015
【図１４】
2017027827.tif 000016
【図１５】
2017027827.tif 000017
【図１６】
2017027827.tif 000018
【図１７】
2017027827.tif 000019
【図１８】
2017027827.tif 000020
【図１９】
2017027827.tif 000021
【図２０】
2017027827.tif 000022
【図２１】
2017027827.tif 000023
【図２２】
2017027827.tif 000024
【図２３】
2017027827.tif 000025
【図２４】
2017027827.tif 000026
【図２５】
2017027827.tif 000027
【図２６】
2017027827.tif 000028
【図２７】
2017027827.tif 000029
【図２８】
2017027827.tif 000030